(57)【要約】  【課題】  収納箱に本体を固定するネジの緩みを防止した構成の加熱調理器を提供する。  【解決手段】  飾り板２の左右側面（或いは上下側面）より裏面まで貫通するネジ止め孔２ａを設け、矢印Ｅで示すように、これを通して斜め内側後方に向かって、収納箱４の前面開口周縁部４ａに対してネジ５によりネジ止めを行う構成としている。これにより、ドアが開く時に本体に掛かる力の方向とネジ止めの方向とをずらすことができるので、ネジの緩みを防止することができる。【選択図】      図１
2005133963.tif 000002
【特許請求の範囲】
【請求項１】
加熱室を有する本体を備え、前記加熱室を開閉するドアと飾り板とを前記本体の前面に設け、前記本体を収納箱内に設置する加熱調理器において、
前記飾り板を、該飾り板から斜め後方に向かって、前記収納箱前面に対してネジ止めすることを特徴とする加熱調理器。
【請求項２】
前記飾り板の側面より裏面まで貫通するネジ止め孔を設け、該ネジ止め孔を通して前記飾り板を前記収納箱前面にネジ止めすることを特徴とする請求項１に記載の加熱調理器。
【請求項３】
前記飾り板の表面より裏面まで斜め後方に向かって貫通するネジ止め孔を設け、該ネジ止め孔を通して前記飾り板を前記収納箱前面にネジ止めすることを特徴とする請求項１に記載の加熱調理器。
【請求項４】
前記ネジ止め孔に、ネジ頭が入り込む座ぐりを設けたことを特徴とする請求項２に記載の加熱調理器。
【請求項５】
前記飾り板の固定個所一個所につき、少なくとも２個のネジ止め孔を設けたことを特徴とする請求項２〜請求項４のいずれかに記載の加熱調理器。
【請求項６】
前記ネジ止め孔を薄肉にて塞いだことを特徴とする請求項５に記載の加熱調理器。
【発明の詳細な説明】
【技術分野】
【０００１】
本発明は、電子レンジやオーブン等の加熱調理器に関するものであり、特に、組み込み型（ビルトイン式）の加熱調理器の取付構造に関するものである。
【背景技術】
【０００２】
従来より、このような加熱調理器は、加熱室と、マグネトロンやヒーター等の熱源発生装置及びその制御部（操作パネル）と、加熱室を開閉するためのドア等とより構成されている。ドアにはフック形状の可動部（ラッチヘッド）が設けられており、ドア閉時にはその可動部が本体側に引っ掛かることにより、調理中にドアが開かないようにして、マイクロ波や熱等が漏れるのを防止している。さらに、組み込み型の場合は、加熱調理器の本体と収納箱との隙間を隠すための飾り板が設けられている。
【０００３】
図６は、このような従来の加熱調理器の模式図であり、同図（ａ）は平面断面図、同図（ｂ）は側面断面図である。同図は本体１が収納箱４内に設置された様子を示している。同図に示すように、本体１の前面周縁部には、飾り板２が一体で設けられている。また、本体１の前面にはドア３がヒンジ部３ａを中心として回動自在に取り付けられている。そして、ドア３が矢印Ａ方向に回動することにより、本体１内の図示しない加熱室が開閉される。ドア３の裏面にはラッチヘッド３ｂが設けられており、これが矢印Ｂで示すように上下することにより、ドア３の開閉動作が本体１に対してロック或いは解除される。なお、本体１下部より脚１ａが延びている。
【０００４】
図７は、従来の加熱調理器の設置方法を模式的に示す斜視図である。本例では本体１と飾り板２は一体化されており、本体１を収納箱４内に設置する際は、矢印Ｄで示すように本体１を収納箱４に挿入し、飾り板２の周縁部を収納箱４の前面開口周縁部４ａに、矢印Ｃで示す如く正面よりネジ５で止めることにより固定する。なお、本体１と飾り板２が別々となっているタイプもあり、この場合は設置用の金具を本体１設置前に収納箱４に取り付け、ネジ止め等により固定した後、その金具に飾り板２を取り付ける。但し、このタイプは設置が困難なため、あまり用いられていない。
【０００５】
その他、高周波加熱装置として、加熱室の一側面に高周波発振器や高圧トランス等冷却を必要とする電気部品を集中して設置し、軸流ファンで冷却をし、エアガイドを通じて本体ケースの前面に強く排出することにより冷却効果を一段と高め、ビルトイン設置で使用しても安定した機能を有するものが開示されている（例えば、特許文献１参照。）。
【特許文献１】特開昭６０−１７８８４号公報
【発明の開示】
【発明が解決しようとする課題】
【０００６】
しかしながら、上述したような従来の構成において、ドア３を開ける場合、ラッチヘッド３ｂが本体１に引っ掛かっており、これに抗しつつ開けることとなるため、本体１を収納箱４より引き出そうとする力が掛かる。その力とネジ止めの方向が正反対であるため、ドア３を開け閉めするうちに、ネジ５が緩んでくる恐れがある。
【０００７】
本発明は、このような問題点に鑑み、収納箱に本体を固定するネジの緩みを防止した構成の加熱調理器を提供することを目的とする。
【課題を解決するための手段】
【０００８】
上記目的を達成するために、本発明では、加熱室を有する本体を備え、加熱室を開閉するドアと飾り板とを本体の前面に設け、本体を収納箱内に設置する構成において、飾り板を、その飾り板から斜め後方に向かって、収納箱前面に対してネジ止めする構成とし、ドアが開く時に本体に掛かる力の方向とネジ止めの方向とをずらすようにしている。
【０００９】
具体的には、飾り板の側面より裏面まで貫通するネジ止め孔を設け、そのネジ止め孔を通して飾り板を収納箱前面にネジ止めする構成としている。或いは、飾り板の表面より裏面まで斜め後方に向かって貫通するネジ止め孔を設け、そのネジ止め孔を通して飾り板を収納箱前面にネジ止めする構成としている。
【００１０】
また、飾り板の側面より裏面まで貫通するネジ止め孔に、ネジ頭が入り込む座ぐりを設け、飾り板を正面より見たときにネジが隠れる構成としている。
【００１１】
また、飾り板の固定個所一個所につき、少なくとも２個のネジ止め孔を設け、飾り板を固定個所一個所につきいずれかのネジ止め孔で固定することができる構成としている。さらに、そのネジ止め孔を薄肉にて塞いだ構成とすることにより、使用していないネジ止め孔から水や湿った空気等が入り込まないようにしている。
【発明の効果】
【００１２】
本発明によれば、収納箱に本体を固定するネジの緩みを防止した構成の加熱調理器を提供することができる。本発明では、本体前面に設けた飾り板を、その飾り板から斜め後方に向かって、収納箱前面に対してネジ止めする構成とし、ドアが開く時に本体に掛かる力の方向とネジ止めの方向とをずらすようにしている。
【００１３】
具体的には、飾り板の側面より裏面まで貫通するネジ止め孔を設け、そのネジ止め孔を通して飾り板を収納箱前面にネジ止めする構成としている。或いは、飾り板の表面より裏面まで斜め後方に向かって貫通するネジ止め孔を設け、そのネジ止め孔を通して飾り板を収納箱前面にネジ止めする構成としている。これにより、ドアを開閉することにより生じるネジの緩みを防止することができる。
【００１４】
また、飾り板の側面より裏面まで貫通するネジ止め孔に、ネジ頭が入り込む座ぐりを設け、飾り板を正面より見たときにネジが隠れる構成とすることにより、デザイン性を向上させることができるとともに、清掃時にネジ頭が邪魔にならないようにすることができる。
【００１５】
また、飾り板の固定個所一個所につき、少なくとも２個のネジ止め孔を設け、飾り板を固定個所一個所につきいずれかのネジ止め孔で固定することができる構成とすることにより、例えば木製の収納箱に飾り板を木ネジで締め付けた際に、ネジバカとなったときでも、他のネジ止め孔で固定可能とすることができる。
【００１６】
さらに、そのネジ止め孔を薄肉にて塞いだ構成とすることにより、使用していないネジ止め孔から水や湿った空気等が入り込まないようにして、本体内に水分が入り込み電装部品を壊すといったことを防止することができる。
【発明を実施するための最良の形態】
【００１７】
以下、本発明の実施の形態について、図面を参照しながら説明する。なお、前記従来技術と共通する部分には同一の符号を付して、詳細な説明を適宜省略する。本発明では、収納箱に本体を固定する際に、本体前面に設けられた飾り板を、ここから斜め後方に向かって収納箱前面に対してネジ止めする構成とすることにより、ドアが開く時に本体に掛かる力の方向とネジ止めの方向とをずらすことができるので、ネジの緩みを防止することができる。
【実施例１】
【００１８】
図１は、本発明の実施例１に係る加熱調理器の平面断面模式図である。同図に示すように、本実施例では、飾り板２の左右側面（或いは上下側面）より裏面まで貫通するネジ止め孔２ａを設け、矢印Ｅで示すように、これを通して斜め内側後方に向かって、収納箱４の前面開口周縁部４ａに対してネジ５によりネジ止めを行う構成としている。これにより、ドアが開く時に本体に掛かる力の方向とネジ止めの方向とをずらすことができるので、ネジの緩みを防止することができる。なお、ネジ止めを行うために、収納箱４側に雌ネジ部を設ける構成としても良いし、ネジ５を木ネジやタッピングネジ等として、収納箱４側にねじ込む構成としても良い。
【実施例２】
【００１９】
図２は、本発明の実施例２に係る加熱調理器の平面部分断面模式図である。同図に示すように、本実施例では、上記ネジ止め孔２ａにネジ５の頭部が入り込む程度の座ぐり２ａａを設けた構成としている。これにより、飾り板２を正面より見たときにネジ５が隠れるので、デザイン性を向上させることができるとともに、清掃時にネジ頭が邪魔にならない構成とすることができる。
【実施例３】
【００２０】
図３は、本発明の実施例３に係る加熱調理器の平面部分断面模式図である。同図に示すように、本実施例では、飾り板２の表面より裏面まで斜め内側後方に向かって貫通するネジ止め孔２ａを、固定個所一個所につき少なくとも２個設けた構成としている。これにより、飾り板２を固定個所一個所につきいずれかのネジ止め孔２ａで固定することができる。
【００２１】
収納箱４は木製である場合が多く、これに飾り板２を例えば木ネジで締め付けてもネジバカとなるときがあるが、そのようなときでも他のネジ止め孔２ａで固定可能である。なお、同図では飾り板２の表面より裏面までネジ止め孔２ａが貫通した例を示しているが、これに限らず、例えば上述のように、飾り板２の左右側面（或いは上下側面）より裏面まで貫通するネジ止め孔２ａを、固定個所一個所につき少なくとも２個設けた構成としても良い。
【実施例４】
【００２２】
図４は、本発明の実施例４に係る加熱調理器の平面部分断面模式図である。同図に示すように、本実施例では、上記図３におけるネジ止め孔２ａの前面開口部を薄肉２ｂにて塞いでおき、ネジ止め時はネジ５により薄肉２ｂを突き破ってネジ止め孔２ａを貫通させる構成としている。これにより、使用していないネジ止め孔２ａから水や湿った空気等が入り込まないようにしている。こうすることで、本体１内に水分が入り込み電装部品を壊すといったことを防止することができる。
【００２３】
図５は、本発明の加熱調理器の設置方法を模式的に示す斜視図である。ここでは飾り板２の上下側面より裏面まで貫通するネジ止め孔２ａを設けた構成を示している。同図において、本体１を収納箱４内に設置する際は、矢印Ｄで示すように本体１を収納箱４に挿入し、飾り板２の周縁部を収納箱４の前面開口周縁部４ａに、矢印Ｅで示す如くネジ止め孔２ａから斜め内側後方に向かって、ネジ５で止めることにより固定する。
【産業上の利用可能性】
【００２４】
本発明の構成は、加熱調理器に限らず、組み込み型（ビルトイン式）の機器において幅広く適用することができる。
【図面の簡単な説明】
【００２５】
【図１】本発明の実施例１に係る加熱調理器の平面断面模式図。
【図２】本発明の実施例２に係る加熱調理器の平面部分断面模式図。
【図３】本発明の実施例３に係る加熱調理器の平面部分断面模式図。
【図４】本発明の実施例４に係る加熱調理器の平面部分断面模式図。
【図５】本発明の加熱調理器の設置方法を模式的に示す斜視図。
【図６】従来の加熱調理器の模式図。
【図７】従来の加熱調理器の設置方法を模式的に示す斜視図。
【符号の説明】
【００２６】
１    本体
２    飾り板
３    ドア
４    収納箱
５    ネジ
【図１】
2005133963.tif 000003
【図２】
2005133963.tif 000004
【図３】
2005133963.tif 000005
【図４】
2005133963.tif 000006
【図５】
2005133963.tif 000007
【図６】
2005133963.tif 000008
【図７】
2005133963.tif 000009